【手続補正書】
【提出日】平成15年8月11日(2003.8.11)
【手続補正１】
【補正対象書類名】明細書
【補正対象項目名】特許請求の範囲
【補正方法】変更
【補正の内容】
【特許請求の範囲】
【請求項１】
少なくとも１つの中央基地交換網と、電子信号を送受信するための回路を内蔵する複数の遠隔移動端末装置とから成る移動通信網において、前記遠隔移動端末装置の各々は、該装置からの送信を制御するための特定のユーザー専用のデータを内蔵するユーザー識別モジュール（ＵＩＭ）を含んでおり、
前記中央基地交換網は、選択された遠隔移動端末装置にデータ信号を送って前記の選択された遠隔移動端末装置を前記の含まれているＵＩＭに選択的にロックするとともに前記の含まれているＵＩＭを前記の選択された遠隔移動端末装置にロックするための手段を含んでおり、これにより前記の選択された遠隔移動端末装置の他の前記ＵＩＭでの動作を選択的に阻止するとともに前記の含まれているＵＩＭの他の前記遠隔移動端末装置での動作を阻止することを特徴とする移動通信網。
【請求項２】
前記中央基地交換網は、選択された遠隔移動端末装置にデータ信号を送って前記の選択された遠隔移動端末装置を前記の含まれているＵＩＭにロックすることにより前記の選択された遠隔移動端末装置の他の前記ＵＩＭでの動作を阻止するための手段を有する、請求項１に記載の移動通信網。
【請求項３】
前記中央基地交換網は、選択された遠隔移動端末装置にデータ信号を送って前記の含まれているＵＩＭを前記の選択された遠隔移動端末装置にロックすることにより前記の含まれているＵＩＭの他の前記遠隔移動端末装置での動作を阻止するための手段を有する、請求項１に記載の移動通信網。
【請求項４】
前記遠隔移動端末装置の各々の各ＵＩＭは前記の特定のユーザー専用のデータを記憶するための記憶手段を含んでいる、請求項１に記載の移動通信網。
【請求項５】
前記遠隔移動端末装置の各々の各ＵＩＭは、前記中央基地交換網から送られた前記データ信号に応答して、その送られたデータ信号のデータが前記遠隔移動端末装置の前記ＵＩＭに記憶されている前記の特定ユーザー専用のデータと同一であるときには前記遠隔移動端末装置の他のＵＩＭでの動作を阻止するための手段を含む、請求項１に記載の移動通信網。
【請求項６】
前記遠隔移動端末装置はセルラー電話である、請求項１に記載の移動通信網。
【請求項７】
前記遠隔移動端末装置の各々は独特の国際移動端末装置識別（ＩＭＥＩ）ユニットを含む、請求項１に記載の移動通信網。
【請求項８】
前記中央基地交換網は、少なくとも１つの基地局コントローラ（ＢＳＣ）と、前記データ信号を前記の選択された遠隔移動端末装置に送るための少なくとも１つの基地局送受信システム（ＢＴＳ）とに接続された移動交換センター（ＭＳＣ）を含む移動交換網を含む、請求項１に記載の移動通信網。
【請求項９】
前記移動交換センター（ＭＳＣ）は、真実性の確認センター（ＡＵＣ）を有するホームロケーション・レジスタ（ＨＬＲ）を含んでおり、前記移動交換センター（ＭＳＣ）は、前記移動端末装置の正当性及び状況に関するデータを内蔵する装置識別レジスタ（ＥＩＲ）に接続されている、請求項８に記載の移動通信網。
【請求項１０】
少なくとも１つの中央基地交換網と、電子信号を送受信するための回路を内蔵する複数の遠隔移動端末装置とを有する移動通信網の選択された遠隔移動端末装置をロックする方法において、前記遠隔移動端末装置の各々は、該装置からの送信を制御するための特定のユーザー専用のデータを内蔵するユーザー識別モジュール（ＵＩＭ）を含んでおり、この方法は、
前記中央基地交換網から選択された遠隔移動端末装置のＵＩＭへデータ信号を送るステップ（ステップ１）と、
前記中央基地交換網から送られた前記データ信号を受け取って前記の選択された遠隔移動端末装置を前記の含まれているＵＩＭに選択的にロックし且つ前記の含まれているＵＩＭを前記の選択された遠隔移動端末装置にロックすることにより、前記の選択された遠隔移動端末装置の他のＵＩＭでの動作を阻止するとともに前記の含まれているＵＩＭの他の前記遠隔移動端末装置での動作を阻止するステップ（ステップ２）とから成ることを特徴とする方法。
【請求項１１】
前記の含まれているＵＩＭは前記の特定の遠隔移動端末装置にロックされる、請求項１０に記載の移動通信網の選択された遠隔移動端末装置をロックする方法。
【請求項１２】
前記のステップ２において前記の特定の遠隔移動端末装置は前記の含まれているＵＩＭにロックされる、請求項１０に記載の移動通信網の選択された遠隔移動端末装置をロックする方法。
【請求項１３】
前記のステップ２は、前記ＵＩＭの前記の特定ユーザー専用データを前記中央基地交換網から受け取ったデータ信号と比較し、前記ＵＩＭをロックし、前記の受け取ったデータが前記の特定ユーザー専用データと同一であるときには前記の選択された遠隔モジュールの動作を阻止することを含む、請求項１０に記載の移動通信網の選択された遠隔移動端末装置をロックする方法。
【請求項１４】
前記ＵＩＭに内蔵された真実性の確認手続きを更に含んでおり、前記のステップ２は前記真実性の確認手続きの結果を比較することを更に含む、請求項１３に記載の移動通信網の選択された遠隔移動端末装置をロックする方法。
【請求項１５】
前記のステップ１は、前記の選択された移動端末装置の国際移動端末装置識別（ＩＭＥＩ）情報を得、国際移動端末装置識別情報の状況に関して装置識別レジスタ（ＥＩＲ）に問い合わせて、その選択された遠隔移動端末装置が盗まれているか否か判定し、ユーザー識別モジュールロックコマンドを前記の選択された遠隔移動端末装置に送るステップを更に含む、請求項１０に記載の移動通信網の選択された遠隔移動端末装置をロックする方法。
【請求項１６】
選択された遠隔移動端末装置の前記ＵＩＭに内蔵されている真実性の確認手続きを更に含んでおり、前記のステップ２は前記真実性の確認手続きの結果を比較することを更に含む、請求項１５に記載の移動通信網の選択された遠隔移動端末装置をロックする方法。
【請求項１７】
前記のステップ２は前記中央基地交換網から送信された受信コマンドがロックコマンドであるか否か判定し、前記ロックコマンドの真実性を確かめ、移動端末装置のユーザー識別モジュールへのロックを実行するステップを含む、請求項１０に記載の移動通信網の選択された遠隔移動端末装置をロックする方法。
【請求項１８】
前記のステップ２は、前記の選択された遠隔移動端末装置がロックされたという肯定応答を前記の選択された遠隔移動端末装置から前記中央基地交換網へ送るステップを更に含む、請求項１７に記載の移動通信網の選択された遠隔移動端末装置をロックする方法。
【請求項１９】
交換網と複数の移動端末装置とを含み、各該移動端末装置が複数の取外し可能なＵＩＭの各々で動作しうる通信網において、選択された移動端末装置内に収納されている選択されたＵＩＭに前記の選択された移動端末装置をロックするための方法であって、
前記交換網から送信されたメッセージを、前記の選択された移動端末装置において受信するステップ、及び
前記の選択された移動端末装置における前記メッセージの受信に応答して、前記の選択された移動端末装置を前記の選択されたＵＩＭにロックするステップであって、前記の選択されたＵＩＭ以外のＵＩＭでの、前記通信網内の前記の選択された移動端末装置の動作が阻止されるステップ、を有して成る方法。
【請求項２０】
前記の選択された移動端末装置が前記通信網内の前記の選択された移動端末装置に一意の識別パラメータと関連付けられており、前記の受信ステップにおいて受信された前記メッセージには、第２のメッセージが含まれ、前記の受信ステップの前に、
前記の選択された移動端末装置から送信され、前記の選択された移動端末装置の識別パラメータを含む第１のメッセージを前記交換網において受信するステップ、
前記の選択された移動端末装置の識別パラメータが前記交換網内部で、選択されたデータベース内に記憶されているか否かを、前記第１のメッセージの受信に応えて決定するステップ、及び
前記の決定ステップにおける肯定的決定に応えて、前記交換網から前記の選択された移動端末装置に前記第２のメッセージを送信するステップ、
をさらに有して成る、請求項１９に記載の方法。
【請求項２１】
前記のロックステップには、
前記の受信ステップで受信された前記メッセージの真実性確認を検証するステップ、及び
前記メッセージが真実であることの検証に応答して、前記の選択されたＵＩＭに前記の選択された移動端末装置をロックするステップであって、他のＵＩＭでの、前記通信網内の前記の選択された移動端末装置の動作が阻止されるステップを有して成る、請求項１９に記載の方法。
【請求項２２】
前記メッセージが第１のメッセージを含み、
前記交換網から前記の選択された移動端末装置に第２のメッセージを送信するステップ、及び
前記の選択された移動端末装置における前記第２のメッセージの受信に応答して、前記の選択された移動端末装置に前記の選択されたＵＩＭをロックするステップであって、前記の選択された移動端末装置以外の移動端末装置での、前記通信網内の前記の選択されたＵＩＭの動作が阻止されるステップ、
をさらに有して成る、請求項１９に記載の方法。
【請求項２３】
交換網と複数の移動端末装置とを含み、各該移動端末装置が複数の取外し可能なＵＩＭの各々で動作しうる通信網において、選択されたＵＩＭを収納する選択された移動端末装置に前記の選択されたＵＩＭをロックするための方法であって、
前記交換網からのメッセージを、前記の選択された移動端末装置に送信するステップ、及び
前記の選択された移動端末装置における前記メッセージの受信に応答して、前記の選択されたＵＩＭを前記の選択された移動端末装置にロックするステップであって、前記の選択された移動端末装置以外の移動端末装置での、前記通信網内の前記の選択されたＵＩＭの動作が阻止されるステップ、を有して成る方法。
【請求項２４】
前記の選択された移動端末装置が前記通信網内の前記の選択された移動端末装置に一意の識別パラメータと関連付けられており、前記の受信ステップにおいて受信された前記メッセージには、第２のメッセージが含まれ、前記の受信ステップの前に、
前記の選択された移動端末装置から送信され、前記の選択された移動端末装置の識別パラメータを含む第１のメッセージを前記交換網において受信するステップ、
前記の選択された移動端末装置の識別パラメータが前記交換網内部で、選択されたデータベース内に記憶されているか否かを、前記第１のメッセージの受信に応えて決定するステップ、及び
前記の決定ステップにおける肯定的決定に応えて、前記交換網から前記の選択された移動端末装置に前記第２のメッセージを送信するステップ、
をさらに有して成る、請求項２３に記載の方法。
【請求項２５】
前記のロックステップには、
前記の受信ステップで受信した前記メッセージの真実性確認を検証するステップ、及び
前記メッセージが真実であることの検証に応答して、前記の選択されたＵＩＭを前記の選択された移動端末装置にロックするステップであって、前記の選択された移動端末装置以外の移動端末装置での、前記通信網内の前記の選択されたＵＩＭの動作が阻止されるステップを有して成る、請求項２３に記載の方法。
【請求項２６】
前記メッセージが第１のメッセージを含み、
前記交換網から前記の選択された移動端末装置に第２のメッセージを送信するステップ、及び
前記の選択された移動端末装置における前記第２のメッセージの受信に応答して、前記の選択されたＵＩＭに前記の選択された移動端末装置をロックするステップであって、前記の選択されたＵＩＭ以外のＵＩＭでの、前記通信網内の前記の選択された移動端末装置の動作が阻止されるステップ、
をさらに有して成る、請求項２３に記載の方法。
【請求項２７】
交換網と複数の移動端末装置とを含み、各該移動端末装置が複数の取外し可能なＵＩＭの各々で動作しうる通信網において、選択された移動端末装置がその内部に収納されている選択されたＵＩＭにロックされることができ、かくして他のＵＩＭでの、前記通信網内の前記の選択された移動端末装置の動作を阻止する、前記の選択されたＵＩＭから前記の選択された移動端末装置をロック解除するための方法であって、
前記交換網から送信されたメッセージを、前記の選択された移動端末装置において受信するステップ、及び
前記の選択された移動端末装置における前記メッセージの受信に応答して、前記の選択された移動端末装置を前記の選択されたＵＩＭからロック解除するステップであって、他のＵＩＭでの、前記通信網内の前記の選択された移動端末装置の動作が許容されるステップ、を有して成る方法。
【請求項２８】
前記の選択された移動端末装置が前記通信網内の前記の選択された移動端末装置に一意の識別パラメータと関連付けられており、前記の受信ステップにおいて受信された前記メッセージには、第２のメッセージが含まれ、前記の受信ステップの前に、
前記の選択された移動端末装置から送信され、前記の選択された移動端末装置の識別パラメータを含む第１のメッセージを前記交換網において受信するステップ、
前記の選択された移動端末装置の識別パラメータが前記交換網内部で、選択されたデータベース内に記憶されているか否かを、前記第１のメッセージの受信に応えて決定するステップ、及び
前記の決定ステップにおける肯定的決定に応えて、前記交換網から前記の選択された移動端末装置に前記第２のメッセージを送信するステップ、
をさらに有して成る、請求項２７に記載の方法。
【請求項２９】
前記のロック解除ステップは、
前記の受信ステップで受信された前記メッセージの真実性確認を検証するステップ、及び
前記メッセージが真実であることの検証に応答して、前記の選択されたＵＩＭから前記の選択された移動端末装置をロック解除するステップであって、他のＵＩＭでの、前記通信網内の前記の選択された移動端末装置の動作が許容されるステップを有して成る、請求項２７に記載の方法。
【請求項３０】
前記の選択されたＵＩＭが前記の選択された移動端末装置にロックされることができ、かくして他の移動端末装置での、前記通信網内の前記ＵＩＭの動作を阻止しており、
前記交換網から前記の選択された移動端末装置に第２のメッセージを送信するステップ、及び
前記の選択された移動端末装置における前記第２のメッセージの受信に応答して、前記の選択された移動端末装置から前記の選択されたＵＩＭをロック解除するステップであって、他の移動端末装置での、前記通信網内の前記ＵＩＭの動作が許容されるステップ、
をさらに有して成る、請求項２７に記載の方法。
【請求項３１】
交換網と複数の移動端末装置とを含み、各該移動端末装置が複数の取外し可能なＵＩＭの各々で動作しうる通信網において、選択されたＵＩＭは選択された移動端末装置にロックされることができ、かくして他の移動端末装置での、前記通信網内の前記ＵＩＭの動作を阻止する、前記の選択されたＵＩＭを前記の選択された移動端末装置からロック解除するための方法であって、
前記交換網から送信されたメッセージを、前記の選択された移動端末装置において受信するステップ、及び
前記の選択された移動端末装置における前記メッセージの受信に応答して、前記の選択された移動端末装置から前記の選択されたＵＩＭをロック解除するステップであって、他の移動端末装置での、前記通信網内の前記の選択されたＵＩＭの動作が許容されるステップ、を有して成る方法。
【請求項３２】
前記の選択された移動端末装置が前記通信網内の前記の選択された移動端末装置に一意の識別パラメータと関連付けられており、前記の受信ステップにおいて受信された前記メッセージには、第２のメッセージが含まれ、前記の受信ステップの前に、
前記の選択された移動端末装置から送信され、前記の選択された移動端末装置の識別パラメータを含む第１のメッセージを前記交換網において受信するステップ、
前記の選択された移動端末装置の識別パラメータが交換網内部で、選択されたデータベース内に記憶されているか否かを、前記第１のメッセージの受信に応えて決定するステップ、及び
前記の決定ステップにおける肯定的決定に応えて、前記交換網から前記の選択された移動端末装置に前記第２のメッセージを送信するステップ、
をさらに有して成る、請求項３１に記載の方法。
【請求項３３】
前記のロック解除ステップは、
前記の受信ステップで受信された前記メッセージの真実性確認を検証するステップ、及び
前記メッセージが真実であることの検証に応答して、前記の選択されたＵＩＭを前記の選択された移動端末装置からロック解除するステップであって、他の移動端末装置での、前記通信網内の前記の選択されたＵＩＭの動作が許容されるステップを有して成る、請求項３１に記載の方法。
【請求項３４】
前記の選択された移動端末装置が前記の選択されたＵＩＭにロックされることができ、かくして他のＵＩＭでの、前記の選択された移動端末装置の動作を阻止し、かつ前記メッセージが第１のメッセージを含み、
前記交換網から送信された第２のメッセージを前記の選択された移動端末装置において受信するステップ、及び
前記の選択された移動端末装置における前記第２のメッセージの受信に応答して、前記の選択された移動端末装置を前記の選択されたＵＩＭからロック解除するステップであって、他のＵＩＭでの、前記通信網内の前記の選択された移動端末装置の動作が許容されるステップ、
をさらに有して成る、請求項３１に記載の方法。
【請求項３５】
交換網と複数の移動端末装置とを含み、各該移動端末装置が複数の取外し可能なＵＩＭの各々で動作しうる通信網において、選択された移動端末装置をロックするための装置であって、
前記交換網から前記の選択された移動端末装置に送信されたメッセージを受信するための手段、及び
前記メッセージの受信に応答して、前記の選択された移動端末装置内に収納された選択されたＵＩＭに前記の選択された移動端末装置をロックするための手段であって、前記の選択されたＵＩＭ以外のＵＩＭでの、前記通信網内の前記の選択された移動端末装置の動作が阻止される手段、を有して成る装置。
【請求項３６】
前記メッセージが第２のメッセージを含み、前記の選択された移動端末装置が、通信システム内の前記の選択された移動端末装置に一意の識別パラメータと関連付けられており、
前記の選択された移動端末装置から送信された第１のメッセージを前記交換網において受信するための手段であって、前記第１のメッセージが前記の選択された移動端末装置の識別パラメータを含むもの、
前記の選択された移動端末装置の識別パラメータが前記交換網内部のデータベース内に記憶されているか否かを前記の受信手段内で、前記第１のメッセージの受信に応えて決定するための手段、及び
前記の決定用手段において肯定的決定がなされたのに応えて、前記交換網から前記の選択された移動端末装置に前記第２のメッセージを送信するための手段、
をさらに有して成る、請求項３５に記載の装置。
【請求項３７】
前記のロック用手段は、
前記の受信用手段内で受信された前記メッセージの真実性確認を検証するための手段、及び
前記の検証用手段内での前記メッセージが真実であることの検証に応答して、選択された移動端末装置内に収納された選択されたＵＩＭに前記の移動端末装置をロックするための手段であって、前記の選択されたＵＩＭ以外の他のＵＩＭでの、前記通信網内の前記の選択された移動端末装置の動作が阻止される手段を有して成る、請求項３５に記載の装置。
【請求項３８】
前記メッセージが第１のメッセージを含み、
前記交換網から前記の選択された移動端末装置に第２のメッセージを送信するための手段、及び
前記の受信用手段における前記第２のメッセージの受信に応答して、前記の選択された移動端末装置に前記の選択されたＵＩＭをロックするための手段であって、前記の選択された移動端末装置以外の他の移動端末装置での、前記通信網内の前記の選択されたＵＩＭの動作が阻止される手段、
をさらに有して成る、請求項３５に記載の装置。
【請求項３９】
交換網と複数の移動端末装置とを含み、各該移動端末装置が複数の取外し可能なＵＩＭの各々で動作しうる通信網において、選択された移動端末装置に選択されたＵＩＭをロックするための装置であって、
前記交換網からのメッセージを、前記の選択された移動端末装置に送信するための手段、及び
前記メッセージの受信に応答して、前記の選択されたＵＩＭを前記の選択された移動端末装置にロックするための手段であって、前記の選択された移動端末装置以外の他の移動端末装置での、前記通信網内の前記の選択されたＵＩＭの動作が阻止される手段、を有して成る装置。
【請求項４０】
前記メッセージが第２のメッセージを含み、前記の選択された移動端末装置が、通信システム内の前記の選択された移動端末装置に一意の識別パラメータと関連付けられており、
前記の選択された移動端末装置から送信された第１のメッセージを前記交換網において受信するための手段であって、前記第１のメッセージが前記の選択された移動端末装置の識別パラメータを含むもの、
前記の選択された移動端末装置の識別パラメータが前記交換網内部のデータベース内に記憶されているか否かを、前記の受信用手段内での前記第１のメッセージの受信に応えて決定するための手段、及び
前記の決定用手段において肯定的決定がなされたのに応えて、前記交換網から前記の選択された移動端末装置に前記第２のメッセージを送信するための手段、
をさらに有して成る、請求項３９に記載の装置。
【請求項４１】
前記のロック用手段は、
前記の受信用手段内で受信された前記メッセージの真実性確認を検証するための手段、及び
前記の検証用手段内での前記メッセージが真実であることの検証に応答して前記の選択されたＵＩＭを前記の選択された移動端末装置にロックするための手段であって、前記の選択された移動端末装置以外の他の移動端末装置での、前記通信網内の前記の選択されたＵＩＭの動作が阻止される手段を有して成る、請求項３９に記載の装置。
【請求項４２】
前記メッセージが第１のメッセージを含み、
前記交換網から前記の選択された移動端末装置に第２のメッセージを送信するための手段、及び
前記の受信用手段における前記第２のメッセージの受信に応答して、前記の選択されたＵＩＭに前記の選択された移動端末装置をロックするための手段であって、前記の選択されたＵＩＭ以外の他のＵＩＭでの、前記通信網内の前記の選択された移動端末装置の動作が阻止される手段、
をさらに有して成る、請求項３９に記載の装置。
【請求項４３】
交換網と複数の移動端末装置とを含み、各該移動端末装置が複数の取外し可能なＵＩＭの各々で動作しうる通信網において、選択された移動端末装置をロック及びロック解除するための装置であって、
前記の選択された移動端末装置内に収納された選択されたＵＩＭに前記移動端末装置をロックする手段であって、前記の選択されたＵＩＭ以外の他のＵＩＭでの、前記通信網内の前記の選択された移動端末装置の動作が阻止される手段、
前記交換網から前記の選択された移動端末装置に送信されたメッセージを受信するための手段、及び
前記メッセージの受信に応答して、前記の選択された移動端末装置内に収納された選択されたＵＩＭから前記移動端末装置をロック解除するための手段であって、前記の選択されたＵＩＭ以外の他のＵＩＭでの、前記通信網内の前記の選択された移動端末装置の動作が許容される手段、を有して成る装置。
【請求項４４】
前記メッセージが第２のメッセージを含み、前記の選択された移動端末装置が、通信システム内の前記の選択された移動端末装置に一意の識別パラメータと関連付けられており、
前記交換網において前記の選択された移動端末装置から送信された第１のメッセージを受信するための手段であって、前記第１のメッセージが前記の選択された移動端末装置の識別パラメータを含むもの、
前記の選択された移動端末装置の識別パラメータが前記交換網内部のデータベース内に記憶されているか否かを、前記の受信用手段内での前記第１のメッセージの受信に応えて決定するための手段、及び
前記の決定用手段において肯定的決定がなされたのに応えて、前記交換網から前記の選択された移動端末装置に前記第２のメッセージを送信するための手段、
をさらに有して成る、請求項４３に記載の装置。
【請求項４５】
前記のロック解除用手段が、
前記の受信用手段内で受信された前記メッセージの真実性確認を検証するための手段、及び
前記の検証用手段内での前記メッセージが真実であることの検証に応答して、前記の選択された移動端末装置内に収納された選択されたＵＩＭから前記移動端末装置をロック解除するための手段であって、前記の選択されたＵＩＭ以外の他のＵＩＭでの、前記通信網内の前記の選択された移動端末装置の動作が許容される手段、
を有して成る、請求項４３に記載の装置。
【請求項４６】
前記メッセージが第１のメッセージを含み、前記のロック用手段がさらに、前記の選択されたＵＩＭを前記の選択された移動端末装置にロックするための手段を含み、ここで前記の選択された移動端末装置以外の他の移動端末装置での、前記通信網内の前記の選択されたＵＩＭの動作が阻止されており、
前記交換網から前記の選択された移動端末装置に第２のメッセージを送信するための手段、及び
前記の受信用手段における前記第２のメッセージの受信に応答して、前記の選択された移動端末装置から前記の選択されたＵＩＭをロック解除するための手段であって、前記の選択された移動端末装置以外の他の移動端末装置での、前記通信網内の前記の選択されたＵＩＭの動作が許容される手段、
をさらに有して成る、請求項４３に記載の装置。
【請求項４７】
交換網と複数の移動端末装置とを含み、各該移動端末装置が複数の取外し可能なＵＩＭの各々で動作しうる通信網において、選択されたＵＩＭをロック及びロック解除するための装置であって、
前記メッセージの受信に応答して、前記の選択された移動端末装置に前記の選択されたＵＩＭをロックする手段であって、前記の選択された移動端末装置以外の他の移動端末装置での、前記通信網内の前記の選択されたＵＩＭの動作が阻止される手段、
前記交換網からのメッセージを前記の選択された移動端末装置に送信するための手段、及び
前記メッセージの受信に応答して、前記の選択された移動端末装置から前記の選択されたＵＩＭをロック解除するための手段であって、前記の選択された移動端末装置以外の他の移動端末装置での、前記通信網内の前記の選択されたＵＩＭの動作が許容される手段、を有して成る装置。
【請求項４８】
前記メッセージが第２のメッセージを含み、前記の選択された移動端末装置が、通信システム内の前記の選択された移動端末装置に一意の識別パラメータと関連付けられており、
前記交換網において前記の選択された移動端末装置から送信された第１のメッセージを受信するための手段であって、前記第１のメッセージが前記の選択された移動端末装置の識別パラメータを含むもの、
前記の選択された移動端末装置の識別パラメータが前記交換網内部のデータベース内に記憶されているか否かを、前記の受信用手段内での前記第１のメッセージの受信に応えて決定するための手段、及び
前記の決定用手段において肯定的決定がなされたのに応えて、前記交換網から前記の選択された移動端末装置に前記第２のメッセージを送信するための手段、
をさらに有して成る、請求項４７に記載の装置。
【請求項４９】
前記のロック解除用手段が、
前記の受信用手段内で受信された前記メッセージの真実性確認を検証するための手段、及び
前記の検証用手段内での前記メッセージが真実であることの検証に応答して、前記の選択された移動端末装置から、前記の選択されたＵＩＭをロック解除するための手段であって、前記の選択された移動端末装置以外の他の移動端末装置での、前記通信網内の前記の選択されたＵＩＭの動作が許容される手段、を有して成る、請求項４７に記載の装置。
【請求項５０】
前記のロック用手段がさらに、前記の受信用手段での前記第２のメッセージの受信に応答して、前記の選択された移動端末装置を前記の選択されたＵＩＭにロックするための手段を含み、ここで前記の選択されたＵＩＭ以外の他のＵＩＭでの、前記通信網内の前記の選択された移動端末装置の動作が阻止されており、かつ前記メッセージは第１のメッセージを含んでおり、
前記交換網から前記の選択された移動端末装置に第２のメッセージを送信するための手段、及び
前記の受信用手段における前記第２のメッセージの受信に応答して、前記の選択されたＵＩＭから前記の選択された移動端末装置をロック解除するための手段であって、前記の選択されたＵＩＭ以外の他のＵＩＭでの、前記通信網内の前記の選択された移動端末装置の動作が許容される手段、
をさらに有して成る、請求項３９に記載の装置。